(57)【要約】【課題】所望の情報を指定して情報を売買する情報売買プログラム、情報処理装置及び情報処理システムを提供する。【解決手段】情報売買システム５は、情報を売る売主２Ａが操作する携帯端末２と、情報を買う買主３Ａが端末３を介して管理する情報売買サーバ１とを備え、情報売買サーバ１は、売主２Ａに買い取り対象及び対価を示す買取条件情報を携帯端末２に送信し、携帯端末２は、買取条件情報を受信して表示し、買取条件情報に基づいた売主２Ａの操作に基づいて情報を作成して情報売買サーバ１に送信し、情報売買サーバ１は、売主２Ａによって作成された情報を携帯端末２から買取済情報として受信し、買取済情報に対する対価の残高を売主２Ａに関連付けて記憶して管理する。
2020031381.tif 000002
【特許請求の範囲】
【請求項１】
コンピュータを、
少なくとも買い取り対象及び対価を示す買取条件情報を売主の操作する端末に送信する買取条件送信手段と、
前記買取条件情報に基づいて作成された情報を前記端末から買取済情報として受信する買取情報受信手段と、
前記買取済情報に対する対価の残高を前記売主に関連付けて記憶して管理する対価管理手段として機能させるための情報売買プログラム。
【請求項２】
前記買取情報受信手段が前記買取済情報を受信した後、前記買取条件情報に対応付けて用意されたアンケート情報を前記端末に送信するアンケート情報送受信手段としてさらに機能させるための請求項１に記載の情報売買プログラム。
【請求項３】
前記アンケート情報送受信手段は、前記端末に送信した前記アンケート情報に応じて前記端末で入力された情報を受信する請求項２に記載の情報売買プログラム。
【請求項４】
前記買取情報受信手段が前記買取済情報を受信した後、前記買取条件情報に対応付けて用意された広告情報を前記端末に送信する広告情報送受信手段としてさらに機能させるための請求項１〜３のいずれか１項に記載の情報売買プログラム。
【請求項５】
前記広告情報送受信手段は、前記端末に送信した前記広告情報に応じて前記端末で入力された操作内容を受信する請求項４に記載の情報売買プログラム。
【請求項６】
前記買取済情報を解析して当該買取済情報にタグを付与する解析手段としてさらに機能させる請求項１に記載の情報買取プログラム。
【請求項７】
前記買取情報受信手段が前記買取済情報を受信した後、前記タグに対応付けて用意された広告情報を前記端末に送信する広告情報送受信手段としてさらに機能させるための請求項６に記載の情報売買プログラム。
【請求項８】
前記買取情報受信手段が前記買取済情報を受信した後、前記タグに対応付けて用意されたアンケート情報を前記端末に送信するアンケート情報送受信手段としてさらに機能させるための請求項６又は７に記載の情報売買プログラム。
【請求項９】
買い取り対象及び対価を示す買取条件情報を売主の操作する端末に送信する買取条件送信手段と、
前記買取条件情報に基づいて作成された情報を前記端末から買取済情報として受信する買取情報受信手段と、
前記買取済情報に対する対価の残高を前記売主に関連付けて記憶して管理する対価管理手段とを有する情報処理装置。
【請求項１０】
情報を売る売主が操作する端末と、
情報を買う買主が管理する情報処理装置とを備えた情報売買システムであって、
前記情報処理装置は、買い取り対象及び対価を示す買取条件情報を前記端末に送信し、
前記端末は、前記買取条件情報を表示し、前記買取条件情報に基づいて作成された情報を前記情報処理装置に送信し、
前記情報処理装置は、前記作成された情報を前記端末から買取済情報として受信し、前記買取済情報に対する対価の残高を前記売主に関連付けて記憶して管理する情報処理システム。
【発明の詳細な説明】
【技術分野】
【０００１】
本発明は、情報売買プログラム、情報処理装置及び情報処理システムに関する。
【背景技術】
【０００２】
従来の技術として、撮影した画像を第三者に配信し、配信した画像に対する対価を算出する情報処理装置が提案されている（例えば、特許文献１参照）。【０００３】
特許文献１に開示された情報処理装置は、カメラの搭載された車において撮影された画像情報とともに、その撮影条件として位置情報、方向情報、時刻情報を受信して記憶しておき、カメラが搭載されていない車から要求があると、要求の条件に基づき記憶しておいた画像情報から要求の条件に合致する画像情報をカメラが搭載されていない車に配信して遠隔地の情報を伝達するとともに、当該カメラが搭載されていない車の利用者に課金して情報伝達の対価を回収する。また、カメラの搭載された車の利用者に対しては配信回数に応じて対価を算出し、通信キャリアや情報処理装置の配信サービスに対しても通信量や配信回数に応じて対価を算出して支払う。
【先行技術文献】
【特許文献】
【０００４】
【特許文献１】特開２００３‐３０２０１号公報
【発明の概要】
【発明が解決しようとする課題】
【０００５】
上記した特許文献１の情報処理装置によると、要求する条件が位置情報、方向情報、時刻情報等の撮影条件に合致する画像情報を配信して遠隔地の情報を伝達し、配信に対する対価の回収及び支払をするものの、要求できる条件が主に位置情報、方向情報、時刻情報に限られたものであり、これらの情報を限定しない情報、例えば、どこにあるか特定できない物の画像情報、いつあるのか特定できない物の画像情報等を要求することができない、という問題がある。【０００６】
従って、本発明の目的は、所望の情報を指定して情報を売買する情報売買プログラム、情報処理装置及び情報処理システムを提供することにある。
【課題を解決するための手段】
【０００７】
本発明の一態様は、上記目的を達成するため、以下の情報売買プログラム、情報処理装置及び情報処理システムを提供する。【０００８】
［１］コンピュータを、
少なくとも買い取り対象及び対価を示す買取条件情報を売主の操作する端末に送信する買取条件送信手段と、
前記買取条件情報に基づいて作成された情報を前記端末から買取済情報として受信する買取情報受信手段と、
前記買取済情報に対する対価の残高を前記売主に関連付けて記憶して管理する対価管理手段として機能させるための情報売買プログラム。
［２］前記買取情報受信手段が前記買取済情報を受信した後、前記買取条件情報に対応付けて用意されたアンケート情報を前記端末に送信するアンケート情報送受信手段としてさらに機能させるための前記［１］に記載の情報売買プログラム。
［３］前記アンケート情報送受信手段は、前記端末に送信した前記アンケート情報に応じて前記端末で入力された情報を受信する前記［２］に記載の情報売買プログラム。
［４］前記買取情報受信手段が前記買取済情報を受信した後、前記買取条件情報に対応付けて用意された広告情報を前記端末に送信する広告情報送受信手段としてさらに機能させるための前記［１］〜［３］のいずれかに記載の情報売買プログラム。
［５］前記広告情報送受信手段は、前記端末に送信した前記広告情報に応じて前記端末で入力された操作内容を受信する前記［４］に記載の情報売買プログラム。
［６］前記買取済情報を解析して当該買取済情報にタグを付与する解析手段としてさらに機能させる前記［１］に記載の情報買取プログラム。
［７］前記買取情報受信手段が前記買取済情報を受信した後、前記タグに対応付けて用意された広告情報を前記端末に送信する広告情報送受信手段としてさらに機能させるための前記［６］に記載の情報売買プログラム。
［８］前記買取情報受信手段が前記買取済情報を受信した後、前記タグに対応付けて用意されたアンケート情報を前記端末に送信するアンケート情報送受信手段としてさらに機能させるための前記［６］又は［７］に記載の情報売買プログラム。
［９］買い取り対象及び対価を示す買取条件情報を売主の操作する端末に送信する買取条件送信手段と、
前記買取条件情報に基づいて作成された情報を前記端末から買取済情報として受信する買取情報受信手段と、
前記買取済情報に対する対価の残高を前記売主に関連付けて記憶して管理する対価管理手段とを有する情報処理装置。
［１０］情報を売る売主が操作する端末と、
情報を買う買主が管理する情報処理装置とを備えた情報売買システムであって、
前記情報処理装置は、買い取り対象及び対価を示す買取条件情報を前記端末に送信し、
前記端末は、前記買取条件情報を表示し、前記買取条件情報に基づいて作成された情報を前記情報処理装置に送信し、
前記情報処理装置は、前記作成された情報を前記端末から買取済情報として受信し、前記買取済情報に対する対価の残高を前記売主に関連付けて記憶して管理する情報処理システム。
【発明の効果】
【０００９】
請求項１、９、１０に係る発明によれば、所望の情報を指定して情報を売買することができる。
請求項２に係る発明によれば、買取条件情報に対応付けて用意されたアンケート情報を端末に送信することができる。
請求項３に係る発明によれば、アンケート情報に応じて前記端末で入力された情報を受信することができる。
請求項４に係る発明によれば、買取条件情報に対応付けて用意された広告情報を端末に送信することができる。
請求項５に係る発明によれば、広告情報に応じて端末で入力された操作内容を受信することができる。
請求項６に係る発明によれば、買取済情報を解析して当該買取済情報にタグを付与することができる。
請求項７に係る発明によれば、タグに対応付けて用意された広告情報を端末に送信することができる。
請求項８に係る発明によれば、タグに対応付けて用意されたアンケート情報を端末に送信することができる。
【図面の簡単な説明】
【００１０】
【図１】図１は、実施の形態に係る情報処理システムとしての情報売買システムの構成例を示す概略図である。
【図２】図２は、実施の形態に係る情報処理装置としての情報売買サーバの構成例を示すブロック図である。
【図３】図３は、買取条件情報の構成の一例を示す概略図である。
【図４】図４は、利用者情報の構成の一例を示す概略図である。
【図５】図５は、買取済情報の構成の一例を示す概略図である。
【図６】図６は、アンケート情報の構成の一例を示す概略図である。
【図７】図７は、広告情報の構成の一例を示す概略図である。
【図８】図８は、実施の形態に係る携帯端末の構成例を示すブロック図である。
【図９Ａ】図９Ａは、携帯端末の表示部に表示される画面の構成例を示す概略図である。
【図９Ｂ】図９Ｂは、携帯端末の表示部に表示される画面の構成例を示す概略図である。
【図９Ｃ】図９Ｃは、携帯端末の表示部に表示される画面の構成例を示す概略図である。
【図９Ｄ】図９Ｄは、携帯端末の表示部に表示される画面の構成例を示す概略図である。
【図１０Ａ】図１０Ａは、携帯端末の表示部に表示される画面の構成例を示す概略図である。
【図１０Ｂ】図１０Ｂは、携帯端末の表示部に表示される画面の構成例を示す概略図である。
【図１０Ｃ】図１０Ｃは、携帯端末の表示部に表示される画面の構成例を示す概略図である。
【図１０Ｄ】図１０Ｄは、携帯端末の表示部に表示される画面の構成例を示す概略図である。
【図１０Ｅ】図１０Ｅは、携帯端末の表示部に表示される画面の構成例を示す概略図である。
【図１１Ａ】図１１Ａは、携帯端末の表示部に表示される画面の構成例を示す概略図である。
【図１１Ｂ】図１１Ｂは、携帯端末の表示部に表示される画面の構成例を示す概略図である。
【図１１Ｃ】図１１Ｃは、携帯端末の表示部に表示される画面の構成例を示す概略図である。
【図１１Ｄ】図１１Ｄは、携帯端末の表示部に表示される画面の構成例を示す概略図である。
【図１２】図１２は、携帯端末の表示部に表示される画面の構成例を示す概略図である。
【図１３】図１３は、情報売買システムの動作の一例を示すフローチャートである。
【発明を実施するための形態】
【００１１】
［実施の形態］
（情報処理システムの構成）
図１は、実施の形態に係る情報処理システムとしての情報売買システムの構成例を示す概略図である。
【００１２】
情報売買システム５は、情報売買サーバ１と、携帯端末２と、端末３とをネットワーク４を介して互いに通信可能に接続することで構成される。携帯端末２は、情報の売主２Ａによって操作される。なお、携帯端末２は、説明を簡単にするため単一で示しているが、複数台用意され、複数の利用者によって操作される。また、端末３は、情報の買主３Ａによって操作され、説明を簡単にするため単一で示しているが、複数台用意され、複数の利用者によって操作されるものであってもよい。
【００１３】
情報売買サーバ１は、サーバ型の情報処理装置であり、携帯端末２又は端末３の要求に応じて動作するものであって、本体内に情報を処理するための機能を有するＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｋ  Ｄｒｉｖｅ）、フラッシュメモリ等の電子部品を備える。
【００１４】
携帯端末２は、例えば、スマートフォンやタブレット端末等の携帯可能な小型の情報処理装置であって、本体内に情報を処理するための機能を有するＣＰＵやフラッシュメモリ、撮像可能なカメラ等の電子部品を備える。
【００１５】
端末３は、例えば、ＰＣ（Ｐａｒｓｏｎａｌ  Ｃｏｍｐｕｔｅｒ）やタブレット端末等の情報処理装置であって、本体内に情報を処理するための機能を有するＣＰＵやフラッシュメモリ等の電子部品を備える。
【００１６】
ネットワーク４は、高速通信が可能な通信ネットワークであり、例えば、インターネット等の有線又は無線の通信網である。
【００１７】
情報売買サーバ１は、一例として、買主３Ａが買い取りを希望する情報の条件の登録を、端末３を介して予め受け付け、当該買い取りを希望する情報の条件を携帯端末２へ送信する。その後、携帯端末２の表示部に表示された内容を確認した売主２Ａは、携帯端末２を操作して画像を撮像する。情報売買サーバ１は、携帯端末２から画像情報を受信すると、当該画像情報に対して対価を定めて買い取り処理を実行する。なお、ここで「売買」とは、情報の売り買いのことをいい、情報の対価としては、金銭を支払うものであってもよいし、金銭に相当するポイントやギフト券、食事券等を引き渡すものであってもよいし、何らかの権利を付与するものであってもよい。また、「情報」は、画像情報だけでなく画像情報に付随する撮影条件や撮影位置等のメタデータや画像情報を解析した結果得られる情報を含むものとし、画像情報に限らずテキスト情報、音声情報等の様々な種類の情報を売買してもよい。
【００１８】
なお、情報売買サーバ１と、端末３は一体に構成されるものであってもよいが、複数の買主が存在する場合は情報売買サーバ１と端末３とを別体で構成したほうが情報の管理が容易くなるため別体で実施の形態を説明する。また、情報売買サーバ１、携帯端末２及び端末３は、本願の趣旨を逸脱しない範囲で、適宜それぞれを一体に構成してもよいし、それぞれをさらに分割して構成してもよい。
【００１９】
（情報処理装置の構成）
図２は、実施の形態に係る情報処理装置としての情報売買サーバ１の構成例を示すブロック図である。
【００２０】
情報売買サーバ１は、ＣＰＵ（Ｃｅｎｔｒａｌ  Ｐｒｏｃｅｓｓｉｎｇ  Ｕｎｉｔ）等から構成され、各部を制御するとともに、各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、ネットワーク４を介して外部と通信する通信部１２とを備える。
【００２１】
制御部１０は、後述する情報売買プログラム１１０を実行することで、買取条件送受信手段１００、利用者情報送受信手段１０１、買取情報受信手段１０２、対価管理手段１０３、アンケート情報送受信手段１０４、広告情報送信手段１０５、広告成果受信手段１０６及び買取済情報解析手段１０７等として機能する。
【００２２】
買取条件送受信手段１００は、端末３の要求に応じて買取条件情報１１１を記憶部１１に登録する。なお、買取条件情報１１１は、予め登録されているものであってもよい。また、買取条件送受信手段１００は、携帯端末２の要求に応じて記憶部１１に登録されている買取条件情報１１１を携帯端末２へ送信する。また、買取条件送受信手段１００は、携帯端末２の要求がなくとも、携帯端末２のアプリケーションの起動等の動作を察知して買取条件情報１１１を携帯端末２へ送信するものであってもよい。
【００２３】
利用者情報送受信手段１０１は、携帯端末２から売主２Ａを特定する利用者情報を受信し、利用者情報１１２として記憶部１１に記憶する。なお、利用者情報送受信手段１０１は、必ずしも売主２Ａを特定しなくとも、少なくとも携帯端末２を特定できればよい。
【００２４】
買取情報受信手段１０２は、携帯端末２から買取条件に則って撮影された画像情報を買い取り、買取済情報１１３として記憶部１１に記憶する。
【００２５】
対価管理手段１０３は、買取情報受信手段１０２が買い取った情報の対価を買取条件情報１１１に基づいて決定し、売主２Ａである利用者に対応付けて対価を利用者情報１１２に登録する。
【００２６】
アンケート情報送受信手段１０４は、買取条件送受信手段１００が携帯端末２へ送信した買取条件情報１１１の内容に応じてアンケート情報１１４を携帯端末２へ送信する。また、アンケート情報送受信手段１０４は、携帯端末２でアンケートの回答がなされると、携帯端末２からアンケート情報１１４に対する回答を受信する。
【００２７】
広告情報送信手段１０５は、買取条件送受信手段１００が携帯端末２へ送信した買取条件情報１１１の内容に応じて広告情報１１５を携帯端末２へ送信する。
【００２８】
広告成果受信手段１０６は、広告情報送信手段１０５が携帯端末２へ広告情報１１５を送信した後、携帯端末２において当該広告情報１１５に対して何らかの応答があった場合、当該応答を広告成果として受信し、広告情報１１５に登録する。
【００２９】
買取済情報解析手段１０７は、買取済情報１１３の内容をＯＣＲや画像解析等の手段により解析し、ＯＣＲによって得られた文字情報や画像解析によって得られた被写体の情報をタグとし、当該買取済情報１１３を売った利用者の利用者情報１１２又は当該買取済情報１１３に対してタグ付けを行う。
【００３０】
記憶部１１は、制御部１０を上記した各手段１００‐１０７として動作させる情報売買プログラム１１０、買取条件情報１１１、利用者情報１１２、買取済情報１１３、アンケート情報１１４及び広告情報１１５等を記憶する。
【００３１】
図３は、買取条件情報１１１の構成の一例を示す概略図である。
【００３２】
買取条件情報１１１は、買取条件を定義する情報であって、買取条件を識別するための買取条件ＩＤと、情報を買い取る主体である買取主と、買取条件のタイトルと、買取条件の対象の詳細を示す買取対象と、買取対象の買取額と、買取条件とともに広告を表示する場合に関連付けられる広告の広告ＩＤと、買取条件とともにアンケートを表示する場合に関連付けられるアンケートのアンケートＩＤとを有する。なお、買取対象、買取額は、通常、買取主によって定められるものであるが、条件の一部は他社によって又は情報売買サーバ１によって自動に定められるものであってもよい。
【００３３】
図４は、利用者情報１１２の構成の一例を示す概略図である。
【００３４】
利用者情報１１２は、利用者を特定するための情報であって、売主としての利用者を識別するための利用者ＩＤと、当該売主が売った情報の残高と、買取済情報解析手段１０７によって当該利用者に付与されたタグ１と、タグ２と、タグ３とを有する。
【００３５】
図５は、買取済情報１１３の構成の一例を示す概略図である。
【００３６】
買取済情報１１３は、買い取った情報の内容を特定するための情報であって、当該買取済情報１１３の内容を示す買取済情報と、売主である利用者の利用者ＩＤと、対応する買取条件ＩＤを示す買取条件ＩＤと、買取額と、買取済情報解析手段１０７によって当該買取済情報に付与されたタグＡと、タグＢと、タグＣとを有する。
【００３７】
図６は、アンケート情報１１４の構成の一例を示す概略図である。
【００３８】
アンケート情報１１４は、アンケートの内容を定義するための情報であって、アンケートを識別するためのアンケートＩＤと、当該アンケートの内容を示すアンケート内容と、アンケートを回答した場合の対価である買取額とを有する。
【００３９】
図７は、広告情報１１５の構成の一例を示す概略図である。
【００４０】
広告情報１１５は、広告の内容を定義するための情報であって、広告を識別するための広告ＩＤと、広告の内容を示す広告内容と、当該広告の注意事項と、当該広告に対する売主の反応等の広告成果とを有する。
【００４１】
（携帯端末の構成）
図８は、実施の形態に係る携帯端末２の構成例を示すブロック図である。
【００４２】
携帯端末２は、ＣＰＵ（Ｃｅｎｔｒａｌ  Ｐｒｏｃｅｓｓｉｎｇ  Ｕｎｉｔ）等から構成され、各部を制御するとともに、各種のプログラムを実行する制御部２０と、ＨＤＤ（Ｈａｒｄ  Ｄｉｓｋ  Ｄｒｉｖｅ）やフラッシュメモリ等の記憶媒体から構成され情報を記憶する記憶部２１と、ＬＣＤ（Ｌｉｑｕｉｄ  Ｃｒｙｓｔａｌ  Ｄｉｓｐｌａｙ）やＯＥＬ（Ｏｒｇａｎｉｃ  Ｅｌｅｃｔｒｏ‐Ｌｕｍｉｎｅｓｃｅｎｃｅ）等の文字や画像等を表示する表示部２２と、イメージセンサ及びレンズ等で構成される撮像により画像情報を生成する撮像部２３と、機械式のスイッチやタッチパネル等の操作信号を生成する操作部２４と、ネットワークを介して外部と通信する通信部２５とを備える。
【００４３】
制御部２０は、後述する情報売買プログラム２１０を実行することで、表示制御手段２００、買取条件受信手段２０１、利用者情報送信手段２０２、撮像制御手段２０３、買取情報送信手段２０４、広告情報受信手段２０６、広告成果送信手段２０７及びアンケート情報送受信手段２０５等として機能する。
【００４４】
表示制御手段２００は、表示部２２を制御して、情報売買サーバ１から受信した情報に基づいて表示部２２に画像や文字等を表示する。
【００４５】
買取条件受信手段２０１は、情報売買サーバ１に買取条件情報１１１を要求し、情報売買サーバ１から買取条件情報１１１を受信する。なお、当該買取条件情報１１１の内容は、表示制御手段２００によって表示部２２に表示される。また、買取条件受信手段２０１は、情報売買プログラム２１０の起動時に買取条件情報１１１を取得するものであってもよいし、定期的に取得するものであってもよい。
【００４６】
利用者情報送信手段２０２は、携帯端末２の利用者である売主２Ａを識別する情報の一例として携帯端末２に固有の番号である端末識別情報２１１を情報売買サーバ１に送信する。
【００４７】
撮像制御手段２０３は、撮像部２３を制御して撮影し、撮影に伴い画像情報２１２を生成する。
【００４８】
買取情報送信手段２０４は、買取を希望する情報の一例として画像情報２１２を情報売買サーバ１に送信する。
【００４９】
アンケート情報送受信手段２０５は、情報売買サーバ１からアンケート情報１１４を受信する。なお、当該アンケート情報１１４の内容は、表示制御手段２００によって表示部２２に表示される。また、アンケート情報送受信手段２０５は、当該アンケート情報１１４の内容に対して売主２Ａから回答が行われると、当該回答を情報売買サーバ１に送信する。
【００５０】
広告情報受信手段２０６は、情報売買サーバ１から広告情報１１５を受信する。なお、当該広告情報１１５の内容は、表示制御手段２００によって表示部２２に表示される。
【００５１】
広告成果送信手段２０７は、携帯端末２において当該広告情報１１５に対する閲覧行為又は何らかの操作があった場合、当該閲覧行為又は何らかの操作を広告成果として情報売買サーバ１に送信する。
【００５２】
記憶部２１は、制御部２０を上記した各手段２００‐２０７として動作させる情報売買プログラム２１０、端末識別情報２１１及び画像情報２１２等を記憶する。
【００５３】
（情報売買システムの動作）
次に、本実施の形態の作用を説明する。図１３は、情報売買システム５の動作の一例を示すフローチャートである。
【００５４】
まず、売主２Ａの操作に応じて、携帯端末２は情報売買プログラム２１０を実行する（Ｓ２００）。携帯端末２がスマートフォン等の電子機器である場合、インストールされたアプリを起動する。
【００５５】
次に、携帯端末２の買取条件受信手段２０１は、情報売買サーバ１に買取条件情報１１１の送信を要求する（Ｓ２０１）。
【００５６】
情報売買サーバ１の買取条件送受信手段１００は、買取条件情報１１１の送信要求を受け付け（Ｓ１００）、買取条件情報１１１を携帯端末２へ送信する（Ｓ１０１）。
【００５７】
携帯端末２は、情報売買サーバ１から買取条件情報１１１を受信する（Ｓ２０２）。なお、当該買取条件情報１１１の内容は、表示制御手段２００によって表示部２２に表示される。
【００５８】
図９Ａ〜図９Ｄは、携帯端末２の表示部２２に表示される画面の構成例を示す概略図である。
【００５９】
図９Ａに示すように、携帯端末２の表示制御手段２００は、買取条件情報１１１の内容を画面２００ａとして表示する。
【００６０】
画面２００ａは、情報売買プログラム２１０の起動とともに最初に表示されるメイン画面であって、プロモーション情報を表示するプロモーション表示欄２００ａ１と、買取条件情報１１１の内容を一覧表示する買取条件表示欄２００ａ２と、現在の「買取画面」以外の「ホーム画面」、「アカウント画面」に表示を切り替えるための画面切替表示欄２００ａ３とを有する。
【００６１】
売主２Ａは、画面２００ａの内容を確認し、買取条件表示２００ａ２に表示された買取条件の一覧のうち、所望の買取条件を選択操作する。携帯端末２は、選択操作に応じて買取条件を選択する（Ｓ２０３）。
【００６２】
買取条件情報１１１は、例えば、お茶等の特定の商品を購入した場合に購入時のレシートを撮影した画像、ガソリンスタンドで給油した際のレシートを撮影した画像、保険に加入した際の保険証書の画像、六本木ヒルズのＩＴ企業に務める会社員の名刺２枚の画像、ヘアケア商品の画像、ポテトチップスのキャンペーン棚についているマトリックス型二次元コード情報等が挙げられる。これらの情報は、後述する解析動作によって以下のように利用される。
【００６３】
お茶等の特定の商品を購入した場合に購入時のレシートを撮影した画像は、購入したお店や一緒に購入した商品等の情報がマーケティング情報として利用される。また、ガソリンスタンドで給油した際のレシートを撮影した画像は、ガソリン価格やガソリンスタンドの店舗名称、住所等の情報がマーケティング情報として利用される。また、保険に加入した際の保険証書の画像は、保険の種類、加入者の年齢層や性別、家族構成等がマーケティング情報として利用される。また、六本木ヒルズのＩＴ企業に務める会社員の名刺２枚の画像は、地域、職種を指定した人物の情報として利用される。また、ヘアケア商品の画像は、利用しているヘアケア商品の統計情報として利用される。また、ポテトチップスのキャンペーン棚についているマトリックス型二次元コード情報は、キャンペーン棚が実際に利用されているか否かの判断に利用される他、地域や店舗名等を読み出すためのマトリックス型二次元コードを予め用意しておくことで、利用者を実際に地域や店舗へ足を運ばせるためのキャンペーンとして利用される。
【００６４】
次に、携帯端末２の表示制御手段２００は、図９Ｂに示すように、買取条件情報１１１のうち選択された買取条件の詳細を表示部２２に画面２００ｂを表示する。
【００６５】
画面２００ｂは、買取条件の詳細を表示するための画面であって、買取条件の詳細が表示される買取条件詳細情報表示欄２００ｂ１と、買取を申し出る買取申出ボタン２００ｂ２と、買取条件の注意事項が表示される注意事項表示欄２００ｂ３とを有する。
【００６６】
売主２Ａは、画面２００ｂの内容を確認し、買取申出ボタン２００ｂ２を押下操作する。携帯端末２の撮像制御手段２０３は、押下操作に応じて撮像部２３を起動する。
【００６７】
画面２００ｃは、写真撮影のために表示される画面であって、撮像部２３で撮影中の画像をモニターするためのモニター表示欄２００ｃ１と、撮影を実行する撮影ボタン２００ｃ２とを有する。
【００６８】
売主２Ａは、表示部２２の画面２００ｃの内容を確認しながら撮影ボタン２００ｃ２を押下操作し、買取条件に則って被写体を撮影する。携帯端末２の撮像制御手段２０３は、撮影操作に応じて撮像し（Ｓ２０４）、画像情報２１２を生成して記憶部２１に格納する。
【００６９】
次に、携帯端末２の利用者情報送信手段２０２は、携帯端末２の利用者である売主２Ａを識別する利用者情報の一例として携帯端末２に固有の番号である端末識別情報２１１を情報売買サーバ１に送信する（Ｓ２０５）。端末識別情報２１１は、例えば電話番号である。
【００７０】
情報売買サーバ１の利用者情報送受信手段１０１は、携帯端末２から売主２Ａを特定する利用者情報を受信し、利用者情報１１２として記憶部１１に記憶する（Ｓ１０２）。
【００７１】
また、携帯端末２の買取情報送信手段２０４は、上記ステップＳ２０５とともに、買取情報として画像情報２１２を情報売買サーバ１に送信する（Ｓ２０６）。
【００７２】
情報売買サーバ１の買取情報受信手段１０２は、携帯端末２から買取情報としての画像情報２１２を受信し、買取済情報１１３として記憶部１１に記憶する（Ｓ１０３）。
【００７３】
次に、情報売買サーバ１の対価管理手段１０３は、買取条件情報１１１の買取額を確認して対価を決定し、携帯端末２に買取査定額を送信する（Ｓ１０４）。なお、対価の決定方法は、予め定めた額であってもよいし、予め定めた範囲からランダムに定めるものであってもよいし、買取済情報１１３の内容（含まれる被写体の内容、ＯＣＲの結果得られる情報量、画像の鮮明度等）から定めるものであっても良い。なお、情報売買サーバ１の対価管理手段１０３は、図３に示す買取条件情報１１１を確認し、広告ＩＤ及びアンケートＩＤが関連付けられていれば以下のステップＳ１０５〜１１２を実行し、広告ＩＤのみが関連付けられていれば以下のステップＳ１１０〜１１２を実行し、広告ＩＤ及びアンケートＩＤともに関連付けられていない場合はステップＳ１０４を実行した後、ステップＳ１１３へと進む。
【００７４】
次に、携帯端末２の表示制御手段２００は、情報売買サーバ１から査定結果を受信し、図９Ｄに示すように、買取査定額を示すため表示部２２に画面２００ｄを表示する（Ｓ２０７）。
【００７５】
画面２００ｄは、買取査定額を表示するための画面であって、査定結果を表示する査定結果表示欄２００ｄ１と、買取動作を完了するための完了ボタン２００ｄ２とを有する。
【００７６】
売主２Ａは、画面２００ｄの内容を確認し、買取動作を完了させるため完了ボタン２００ｄ２を押下操作し、携帯端末２は操作内容に応じてサーバ１に買取動作の完了を送信する。なお、広告ＩＤのみが関連付けられていれば、完了ボタン２００ｄ２の押下操作の後、後述するステップＳ２１５へと進む。
【００７７】
情報売買サーバ１の対価管理手段１０３は、買取動作の完了を受け付けるとともに、上記ステップＳ１０４の一環として、対価を売主２Ａである利用者に対応付けて利用者情報１１２に登録する。つまり、図４に示す利用者情報１１２の残高を対価分増加して更新する。また、対価管理手段１０３は、図３に示す買取条件情報１１１を確認し、広告ＩＤ及びアンケートＩＤが関連付けられていれば以下のステップＳ１０５〜１１２を実行するため、ステップＳ２０７において以下の図１０Ｂに示すように画面２００ｄにアンケートボタン２００ｄ３を追加して表示する。
【００７８】
図１０Ａ〜図１０Ｅは、携帯端末２の表示部２２に表示される画面の構成例を示す概略図である。なお、図１０Ａは図９Ｃに示す画面２００ｃと同一である。
【００７９】
図１０Ｂに示すように、画面２００ｄは、査定結果を表示する査定結果表示欄２００ｄ１と、買取動作を完了するための完了ボタン２００ｄ２と、アンケートを要求するためのアンケートボタン２００ｄ３を有する。
【００８０】
売主２Ａは、画面２００ｄの内容を確認し、アンケートを要求する場合は、アンケートボタン２００ｄ３を押下操作する。携帯端末２は、操作内容に応じて情報売買サーバ１にアンケートを要求する（Ｓ２０８）。
【００８１】
情報売買サーバ１のアンケート情報送受信手段１０４は、携帯端末２からアンケート要求を受け付けて（Ｓ１０５）、当該アンケート要求に応じて図３に示す買取条件情報１１１のアンケートＩＤの内容を参照し、該当するアンケートＩＤの情報を図７に示すアンケート情報１１４から取得して携帯端末２へ送信する（Ｓ１０６）。
【００８２】
携帯端末２のアンケート情報送受信手段２０５は、情報売買サーバ１からアンケート情報１１４を受信し（Ｓ２０９）、図１０Ｃに示すように、当該アンケート情報１１４の内容が表示制御手段２００によって表示部２２に画面２００ｆ１として表示される（Ｓ２１０）。
【００８３】
画面２００ｆ１は、アンケート情報１１４の内容を表示するための画面であって、アンケートの質問内容を表示するアンケート質問内容表示欄２００ｆ１１と、アンケートの回答項目を複数表示するアンケート回答項目選択欄１００ｆ１２とを有する。
【００８４】
売主２Ａは、画面２００ｆ１の内容を確認し、アンケート回答項目選択欄１００ｆ１２を押下操作し、アンケートに回答する。
【００８５】
なお、アンケート情報１１４を表示する画面２００ｆ１の変形例として、以下の図１１Ｂ〜図１１Ｄに示す画面２００ｆ２〜２００ｆ４を表示するようにしてもよい。
【００８６】
図１１Ａ〜図１１Ｄは、携帯端末２の表示部２２に表示される画面の構成例を示す概略図である。
【００８７】
画面２００ｆ２は、アンケート情報１１４の内容を表示するための画面の他の例であって、アンケートの質問内容を表示するアンケート質問内容表示欄２００ｆ２１と、アンケートの回答をレベルで表示するアンケート回答レベル選択欄１００ｆ２２とを有する。
【００８８】
画面２００ｆ３は、アンケート情報１１４の内容を表示するための画面の他の例であって、アンケートの質問内容を表示するアンケート質問内容表示欄２００ｆ３１と、アンケートの回答を自由記載可能なアンケート回答入力欄２００ｆ３２と、アンケートの回答を入力完了して次の質問に移動するためのボタン２００ｆ３３とを有する。
【００８９】
画面２００ｆ４は、アンケート情報１１４の内容を表示するための画面の他の例であって、要求する情報の内容を表示するアンケート質問内容表示欄２００ｆ４１と、要求する情報の内容を入力するための情報入力欄２００ｆ４２と、アンケートの回答を入力完了してアンケートを完了するためのボタン２００ｆ４３とを有する。
【００９０】
次に、携帯端末２の利用者情報送信手段２０２は、端末識別情報２１１を情報売買サーバ１に送信するとともに（Ｓ２１１）、携帯端末２のアンケート情報送受信手段２０５は、上記した画面２００ｆ１〜２００ｆ４においてアンケート情報１１４の内容に対して売主２Ａから回答が行われると、当該回答を情報売買サーバ１に送信する（Ｓ２１２）。
【００９１】
次に、情報売買サーバ１の利用者情報送受信手段１０１は、携帯端末２から端末識別情報２１１を受信し、利用者情報１１２として記憶部１１に記憶するとともに（Ｓ１０７）、情報売買サーバ１のアンケート情報送受信手段１０４は、携帯端末２からアンケート情報１１４に対する回答を受信する（Ｓ１０８）。
【００９２】
次に、情報売買サーバ１の対価管理手段１０３は、アンケート情報１１４の買取額を確認してアンケートの対価を決定し、携帯端末２に買取査定額を送信する（Ｓ１０９）。また、対価管理手段１０３は、対価を売主２Ａである利用者に対応付けて利用者情報１１２に登録する。
【００９３】
また、情報売買サーバ１の広告情報送信手段１０５は、図３に示す買取条件情報１１１の広告ＩＤ欄の内容に応じて図７に示す広告情報１１５から該当する広告ＩＤの情報を携帯端末２へ送信する（Ｓ１１０）。
【００９４】
次に、携帯端末２の表示制御手段２００は、情報売買サーバ１から査定結果及び広告情報１１５を受信し、まず、図１０Ｄに示すように、買取査定額を示すため表示部２２に画面２００ｇを表示する（Ｓ２１３）。
【００９５】
画面２００ｇは、査定結果を表示する査定結果表示欄２００ｇ１と、アンケートを終了するための終了ボタン２００ｇ２とを有する。
【００９６】
売主２Ａは、画面２００ｇの内容を確認し、アンケートを終了するために終了ボタン２００ｇ２を押下操作し、携帯端末２は操作内容に応じて、次に、図１０Ｅに示すように、予め受信した広告を示すため表示部２２に画面２００ｅを表示する（Ｓ２１５）。
【００９７】
画面２００ｅは、広告情報１１５の内容を表示するための画面であって、広告の内容を表示する広告内容表示欄２００ｅ１と、広告の商品の詳細を表示するための詳細表示ボタン２００ｅ２とを有する。
【００９８】
売主２Ａは、画面２００ｅの内容を確認し、広告に興味がない場合はアプリケーションを終了、又は画面２００ｅ右上に用意された閉じるボタン（×マーク）を押下操作して広告画面を閉じる。また、売主２Ａは、広告に興味がある場合は詳細表示ボタン２００ｅ２を押下操作し、携帯端末２の利用者情報送信手段２０２は、端末識別情報２１１を情報売買サーバ１に送信するとともに（Ｓ２１６）、携帯端末２の広告成果送信手段２０７は、当該操作内容を広告成果として情報売買サーバ１に送信する（Ｓ２１７）。なお、広告成果は、詳細表示ボタン２００ｅ２を押下操作に限らず、当該広告の閲覧行為であってもよいし、閲覧時間であってもよい。
【００９９】
携帯端末２において当該広告情報１１５に対して何らかの応答があった場合、情報売買サーバ１の利用者情報送受信手段１０１は、携帯端末２から端末識別情報２１１を受信し、利用者情報１１２として記憶部１１に記憶するとともに（Ｓ１１１）、情報売買サーバ１の広告成果受信手段１０６は、当該応答を広告成果として受信し、図７に示す広告情報１１５の広告成果欄に登録する（Ｓ１１２）。図７に示した例では広告の閲覧数をカウントしている。
【０１００】
次に、情報売買サーバ１の買取済情報解析手段１０７は、買取済情報１１３の内容をＯＣＲや画像解析等の手段により解析し（Ｓ１１３）、例えば、当該買取済情報１１３を売った利用者の利用者情報１１２又は当該買取済情報１１３に対してタグ付けを行う。
【０１０１】
利用者情報１１２へのタグ付けの例として、図４に示すように、利用者の性別、年収、年齢等の個人をカテゴライズするための情報がタグ付けされる。タグ付けは、利用者が売った画像情報を解析することで行われ、買取条件の商品から女性向けの商品が多ければ「女性」をタグ付けし、レシートの購入金額から年収が推定できたり、保険証書等の画像から年収や年齢が読み取れれば「５００万円」や「３０代」をタグ付けする。また、タグ付けは、アンケートに対する回答に基づいて行われるものであってもよく、回答内容に利用者の年齢、性別等の情報が含まれれば当該情報からタグ付けをする。また、タグ付けは、利用者から本人確認書類の提出があれば当該書類からタグ付けを行ってもよいし、利用者から自発的に入力された情報からタグ付けを行ってもよい。
【０１０２】
買取済情報１１３へのタグ付けの例として、図５に示すように、画像情報の行為、位置、物等の画像の内容をカテゴライズするための情報がタグ付けされる。タグ付けは画像情報を解析することで行われ、撮影したレシートから行為「購入」をタグ付けし、撮影したサッカー競技場の画像から行為「スポーツ」をタグ付けし、画像情報のメタデータとして撮影位置が含まれている場合は位置「東京」、「北海道」、「愛知」等の地名をタグ付けし、撮影した画像情報に物が写っている場合は物「シャンプー」、「ポテトチップス」、「ドリンク」等の商品名をタグ付けする。
【０１０３】
これらの情報は、例えば、以下のように利用される。利用者情報１１２のタグについては、買取条件情報１１１が複数存在する場合、該当する利用者に対する買取条件の表示優先度をタグに基づいて変化させるものであってもよい。買取済情報１１３のタグについても、買取済情報１１３は利用者ＩＤで利用者情報１１２と関連付けられているため、該当する利用者に対する買取条件の表示優先度をタグに基づいて変化させるものであってもよい。また、買取条件情報１１１の項目にさらに「タグ」を設けて、指定されたタグが付与された利用者にのみ買取条件を表示するようにしてもよい。
【０１０４】
また、売主２Ａは、利用者情報１１２の残高欄に登録された残高の換金を所望する場合は、以下の図１２に示す画面２００ｇを表示させる。
【０１０５】
図１２は、携帯端末の表示部に表示される画面の構成例を示す概略図である。
【０１０６】
画面２００ｈは、売主２Ａの残高を表示する残高表示欄２００ｈ１と、当該残高を換金処理するための引き出すボタン２００ｈ２と、現在の「ホーム画面」以外の「買取画面」、「アカウント画面」に表示を切り替えるための画面切替表示欄２００ｈ３とを有する。
【０１０７】
売主２Ａは、引き出すボタン２００ｈ２を押下操作し、携帯端末２は操作内容に応じて情報売買サーバ１に換金を要求する。情報売買サーバ１は換金要求に応じて銀行振込等の換金動作を行う。なお、換金方法は銀行振込に限らず、ギフト券との交換、ショッピングサイトで利用可能なポイントとの交換等であってもよい。
【０１０８】
（実施の形態の効果）
上記した実施の形態によれば、買取条件情報１１１を売主２Ａの使用する携帯端末２の表示部２２に表示して、当該買取条件に則って撮影された画像情報を買い取るようにしたため、買主３Ａは所望する情報を指定して情報を収集することができ、売主２Ａは複数の買取条件から所望の条件を選択して情報を売ることができる。
【０１０９】
つまり従来は、例えば、買主３Ａが商品に関するマーケティングを行う場合、当該商品に関するアンケートを街頭で行ったり、販売店における販売結果を収集したりする必要があったが、本実施の形態では、買主３Ａが買取条件を当該商品のレシート画像を買取条件に指定することで、買い取ったレシート画像及び当該画像情報のメタ情報等から実際に購入した売主２Ａの情報を得ることができる。従来のマーケティング手法は、商品を購入した利用者以外のアンケート回答結果も含まれる可能性があったが、本実施の形態では実際に購入した売主２Ａから直接情報を得ることができる。
【０１１０】
また、買取済情報解析手段１０７により利用者情報１１２又は買取済情報１１３にタグ付けが行われている場合には、当該売主２Ａにタグ付けされた情報等を介して売主２Ａの詳細な情報も得ることができる。従来のアンケートによっても利用者の詳細な情報を得ることができたが、詳細な情報を得るために必要な工程数が本実施の形態に比べて非常に多かった。
【０１１１】
［他の実施の形態］
なお、本発明は、上記実施の形態に限定されず、本発明の趣旨を逸脱しない範囲で種々な変形が可能である。
【０１１２】
例えば、アンケート情報送受信手段１０４は、買取条件情報１１１にアンケートＩＤが記載されていた場合にアンケート情報１１４を携帯端末２に送信したが、売主２Ａの利用者情報１１２にタグ付けされた情報に基づいて送信するか否かを判定するものであってもよい。
【０１１３】
また、例えば、広告情報送信手段１０５は、買取条件情報１１１に広告ＩＤが記載されていた場合に広告情報１１５を携帯端末２に送信したが、売主２Ａの利用者情報１１２にタグ付けされた情報に基づいて送信するか否かを判定するものであってもよい。
【０１１４】
上記実施の形態では制御部１０の各手段１００〜１０７及び制御部２０の各手段２００〜２０７の機能をプログラムで実現したが、各手段の全て又は一部をＡＳＩＣ等のハードウエアによって実現してもよい。また、上記実施の形態で用いたプログラムをＣＤ‐ＲＯＭ等の記録媒体に記憶して提供することもできる。また、上記実施の形態で説明した上記ステップの入れ替え、削除、追加等は本発明の要旨を変更しない範囲内で可能である。
【産業上の利用可能性】
【０１１５】
所望の情報を指定して情報を売買する情報売買プログラム、情報処理装置及び情報処理システムを提供する。
【符号の説明】
【０１１６】
１              ：情報売買サーバ
２              ：携帯端末
２Ａ            ：売主
３              ：端末
３Ａ            ：買主
４              ：ネットワーク
５              ：情報売買システム
１０            ：制御部
１１            ：記憶部
１２            ：通信部
２０            ：制御部
２１            ：記憶部
２２            ：表示部
２３            ：撮像部
２４            ：操作部
２５            ：通信部
１００          ：買取条件送受信手段
１０１          ：利用者情報送受信手段
１０２          ：買取情報受信手段
１０３          ：対価管理手段
１０４          ：アンケート情報送受信手段
１０５          ：広告情報送信手段
１０６          ：広告成果受信手段
１０７          ：買取済情報解析手段
１１０          ：情報売買プログラム
１１１          ：買取条件情報
１１２          ：利用者情報
１１３          ：買取済情報
１１４          ：アンケート情報
１１５          ：広告情報
２００          ：表示制御手段
２０１          ：買取条件受信手段
２０２          ：利用者情報送信手段
２０３          ：撮像制御手段
２０４          ：買取情報送信手段
２０５          ：アンケート情報送受信手段
２０６          ：広告情報受信手段
２０７          ：広告成果送信手段
２１０          ：情報売買プログラム
２１１          ：端末識別情報
２１２          ：画像情報
【図１】
2020031381.tif 000003
【図２】
2020031381.tif 000004
【図３】
2020031381.tif 000005
【図４】
2020031381.tif 000006
【図５】
2020031381.tif 000007
【図６】
2020031381.tif 000008
【図７】
2020031381.tif 000009
【図８】
2020031381.tif 000010
【図９Ａ】
2020031381.tif 000011
【図９Ｂ】
2020031381.tif 000012
【図９Ｃ】
2020031381.tif 000013
【図９Ｄ】
2020031381.tif 000014
【図１０Ａ】
2020031381.tif 000015
【図１０Ｂ】
2020031381.tif 000016
【図１０Ｃ】
2020031381.tif 000017
【図１０Ｄ】
2020031381.tif 000018
【図１０Ｅ】
2020031381.tif 000019
【図１１Ａ】
2020031381.tif 000020
【図１１Ｂ】
2020031381.tif 000021
【図１１Ｃ】
2020031381.tif 000022
【図１１Ｄ】
2020031381.tif 000023
【図１２】
2020031381.tif 000024
【図１３】
2020031381.tif 000025
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
コンピュータを、
少なくとも買い取り対象及び対価を示す買取条件情報を売主の操作する端末に送信する買取条件送信手段と、
前記買取条件情報に基づいて作成された情報を前記端末から買取済情報として受信する買取情報受信手段と、
前記買取済情報に対する対価の残高を前記売主に関連付けて記憶して管理する対価管理手段と、
前記買取済情報を解析して前記売主の個人の属性をカテゴライズするタグを前記売主に関連付けて付与する解析手段として機能させるための情報売買プログラム。
【請求項２】
前記買取情報受信手段が前記買取済情報を受信した後、前記買取条件情報に対応付けて用意されたアンケート情報を前記端末に送信するアンケート情報送受信手段としてさらに機能させるための請求項１に記載の情報売買プログラム。
【請求項３】
前記アンケート情報送受信手段は、前記端末に送信した前記アンケート情報に応じて前記端末で入力された情報を受信する請求項２に記載の情報売買プログラム。
【請求項４】
前記買取情報受信手段が前記買取済情報を受信した後、前記買取条件情報に対応付けて用意された広告情報を前記端末に送信する広告情報送受信手段としてさらに機能させるための請求項１〜３のいずれか１項に記載の情報売買プログラム。
【請求項５】
前記広告情報送受信手段は、前記端末に送信した前記広告情報に応じて前記端末で入力された操作内容を受信する請求項４に記載の情報売買プログラム。
【請求項６】
（削除）
【請求項７】
前記買取情報受信手段が前記買取済情報を受信した後、前記売主に関連付けて付与されたタグに基づいて、前記タグに対応付けて用意された広告情報を前記端末に送信する広告情報送受信手段としてさらに機能させるための請求項１〜５のいずれか１項に記載の情報売買プログラム。
【請求項８】
前記買取情報受信手段が前記買取済情報を受信した後、前記売主に関連付けて付与されたタグに基づいて、前記タグに対応付けて用意されたアンケート情報を前記端末に送信するアンケート情報送受信手段としてさらに機能させるための請求項１〜５、７のいずれか１項に記載の情報売買プログラム。
【請求項９】
買い取り対象及び対価を示す買取条件情報を売主の操作する端末に送信する買取条件送信手段と、
前記買取条件情報に基づいて作成された情報を前記端末から買取済情報として受信する買取情報受信手段と、
前記買取済情報に対する対価の残高を前記売主に関連付けて記憶して管理する対価管理手段と、
前記買取済情報を解析して前記売主の個人の属性をカテゴライズするタグを前記売主に関連付けて付与する解析手段とを有する情報処理装置。
【請求項１０】
情報を売る売主が操作する端末と、
情報を買う買主が管理する情報処理装置とを備えた情報売買システムであって、
前記情報処理装置は、買い取り対象及び対価を示す買取条件情報を前記端末に送信し、
前記端末は、前記買取条件情報を表示し、前記買取条件情報に基づいて作成された情報を前記情報処理装置に送信し、
前記情報処理装置は、前記作成された情報を前記端末から買取済情報として受信し、前記買取済情報に対する対価の残高を前記売主に関連付けて記憶して管理し、前記買取済情報を解析して前記売主の個人の属性をカテゴライズするタグを前記売主に関連付けて付与する情報処理システム。
【国際調査報告】
2020031381.tif 000026
2020031381.tif 000027